(57)【要約】【課題】はがき等を露出させずに忘れることなく添付でき、開封も容易なシート材によるロック構造及び包装箱を提供する。【解決手段】底板３から対向する背板４及び前板５を起立させ、背板４から蓋板７を延出した包装箱において、蓋板７の先端に折込板８を連設し、蓋板７と折込板８の稜部に引出スリット１７を、前板５と底板３の稜部に差込スリット１８をそれぞれ設け、折込板８を蓋板７の裏側に折り込み、シート材２に設けた広面板２１を蓋板７と折込板８の間に挟んで、引出スリット１７から差込片２３及び帯片２２を順次引き出し、蓋板７を閉じて、帯片２２を前板５の表側に沿わせ、差込片２３を差込スリット１８に差し込むことにより封緘する。また、帯片２２に切目を入れて引裂帯２４を設け、引裂帯２４を引き裂くことにより、容易に開封できるようにする。【選択図】図３
2006199336.tif 000002
【特許請求の範囲】
【請求項１】
広面板に帯片を介して差込片を連設し、包装体の一方に引出スリットを、他方に差込スリットをそれぞれ設け、引出スリットから差込片及び帯片を順次引き出すと、広面板が引出スリットの両端に係合し、差込片を差込スリットに差し込むと、差込片が差込スリットから抜けないようにしたシート材によるロック構造。
【請求項２】
前記帯片に切目を入れて引裂帯を設けたことを特徴とする請求項１に記載のシート材によるロック構造。
【請求項３】
底板から対向する背板及び前板を起立させ、背板から蓋板を延出した包装箱において、蓋板の先端に折込板を連設し、蓋板と折込板の稜部に引出スリットを、前板と底板の稜部に差込スリットをそれぞれ設け、折込板を蓋板の裏側に折り込み、広面板を蓋板と折込板の間に挟んで、引出スリットから差込片及び帯片を順次引き出し、蓋板を閉じて、帯片を前板の表側に沿わせ、差込片を差込スリットに差し込むことにより封緘したことを特徴とする請求項１又は２に記載のシート材によるロック構造を使用した包装箱。
【発明の詳細な説明】
【技術分野】
【０００１】
この発明は、包装箱の封緘等を付加的なシート材により行うロック構造及びその応用に関するものである。
【背景技術】
【０００２】
近年、儀礼的な贈り物に際し、実際の商品ではなく、種々の商品が記載されたカタログを貰い手に送り、カタログの中から貰い手が希望の商品を選んで、返信用のはがきにより百貨店等に商品の発送を依頼するカタログギフトが一般的になっている。
【０００３】
このようなカタログギフトでは、カタログの包装箱に返信用のはがきを同封しなければならないが、カタログの発送作業時に返信用のはがきを包装箱に入れ忘れ、百貨店等にクレームが寄せられるトラブルが起こりがちである。
【０００４】
その対策として、下記特許文献１に記載されたように、対向する一方の側板に蓋板を、他方の側板に切抜式のはがきを有する帯板をそれぞれ連設し、封緘する際には、蓋板を閉じて、その上面に帯板を重ね、帯板の先端部を折り曲げて一方の側板に貼り付ける包装箱を使用することが考えられる。
【０００５】
【特許文献１】特開２０００−２９６８３８号公報
【発明の開示】
【発明が解決しようとする課題】
【０００６】
しかしながら、上記のような包装箱では、封緘状態において、はがきが上面に露出するので、見映えがよくないだけでなく、開封も困難なものになるという問題がある。
【０００７】
そこで、この発明は、はがき等を露出させずに忘れることなく添付でき、開封も容易なシート材によるロック構造及び包装箱を提供することを課題とする。
【課題を解決するための手段】
【０００８】
上記課題を解決するため、この発明は、広面板に帯片を介して差込片を連設し、包装体の一方に引出スリットを、他方に差込スリットをそれぞれ設け、引出スリットから差込片及び帯片を順次引き出すと、広面板が引出スリットの両端に係合し、差込片を差込スリットに差し込むと、差込片が差込スリットから抜けないようにしたシート材によるロック構造を提供することとしたのである。
【０００９】
また、前記帯片に切目を入れて引裂帯を設け、この引裂帯を引き裂くことにより、容易にロックを外せるようにしたのである。
【００１０】
また、上記ロック構造の応用例として、底板から対向する背板及び前板を起立させ、背板から蓋板を延出した包装箱において、蓋板の先端に折込板を連設し、蓋板と折込板の稜部に引出スリットを、前板と底板の稜部に差込スリットをそれぞれ設け、折込板を蓋板の裏側に折り込み、前記シート材の広面板を蓋板と折込板の間に挟んで、引出スリットから差込片及び帯片を順次引き出し、蓋板を閉じて、帯片を前板の表側に沿わせ、差込片を差込スリットに差し込むことにより封緘することとしたのである。
【発明の効果】
【００１１】
このようなロック構造により封緘した包装箱では、はがき等をなす広面板を備えたシート材を挿入しなければ、封緘することができないので、はがき等の添付を忘れることがなく、また、帯片を引き裂くだけで、容易に開封することができる。
【発明を実施するための最良の形態】
【００１２】
以下、この発明の実施形態を添付図面に基づいて説明する。
【００１３】
図１に示すように、この包装箱は、板紙を材料とする箱本体１とシート材２のブランクから形成される。箱本体１のブランクでは、底板３の周囲に背板４、前板５及び一対の側板６が連設され、背板４から蓋板７及び折込板８が、前板５及び一対の側板６から額縁板９、内立板１０及び底当板１１がそれぞれ順次延出されている。
【００１４】
前板５と各側板６とは、斜方向の折目線を有する隅片１２を介して繋がれ、各側板６の後端には折曲片１３が連設されている。側板６の額縁板９の前縁は斜めに切断され、前板５の両端部には差込片１４が設けられている。前板５の底当板１１の両端には係合突起１５が、側板６の内立板１０には係合穴１６がそれぞれ設けられている。
【００１５】
そして、蓋板７と折込板８の稜部には引出スリット１７が、前板５と底板３の稜部には差込スリット１８がそれぞれ設けられている。
【００１６】
また、シート材２のブランクでは、返信用のはがきをなす広面板２１に、幅の狭い帯片２２及び差込片２３が順次連設され、帯片２２には、広面板２１及び差込片２３との稜線沿いに鉤形の切目を入れて、ジッパと呼ばれる開封用の引裂帯２４が設けられている。
【００１７】
この帯片２２及び差込片２３の幅は、引出スリット１７及び差込スリット１８の長さと略同一とされ、差込片２３の基部両端には、差込スリット１８の両端段部に係合する切込が入れられている。また、差込片２３の先端両角部には丸みがつけられている。
【００１８】
上記のようなブランクを組み立ててカタログを梱包するには、図２に示すように、底板３から両側板６に繋がる額縁板９を内側へ折り曲げ、これに繋がる底当板１１を底板３に貼り付けて、両側板６及び内立板１０を立ち上がらせる。
【００１９】
次に、隅片１２を折り込みつつ、前板５を起立させると共に、これに繋がる額縁板９を後方へ折り曲げて、差込片１４を両側の額縁板９の下方に差し込み、前板５に繋がる額縁板９から内立板１０を下方へ折り曲げ、底当板１１を底板３に沿わせ、係合突起１５を係合穴１６に係合させる。
【００２０】
また、折込板８を蓋板７の裏側に折り込み、広面板２１を蓋板７と折込板８の間に挟んで、引出スリット１７から差込片２３及び帯片２２を順次引き出す。このとき、広面板２１が引出スリット１７の両端に係合し、引出スリット１７から抜け止めされて、シート材２が箱本体１に保持される。
【００２１】
そして、箱本体１にカタログを収納し、図３に示すように、蓋板７を閉じて、帯片２２を前板５の表側に沿うように折り曲げ、差込片２３を差込スリット１８に差し込むと、差込片２３が差込スリット１８から抜け止めされて、箱本体１は封緘される。
【００２２】
上記ロック構造により封緘した包装箱では、返信用のはがきをなす広面板２１を備えたシート材２を挿入しなければ、封緘することができないので、はがきの添付を忘れることがなく、カタログ発送時の検品も不要となり、梱包作業の省力化を図ることができる。
【００２３】
また、この包装箱は、図４乃至図６に示すように、帯片２２に設けた引裂帯２４を一端から引き裂くだけで、蓋板７のロック状態が解放されるので、糊付部分を引き剥がしたりすることなく、容易に開封することができる。
【００２４】
ところで、上記実施形態では、シート材２の広面板２１を返信用のはがきとしたが、このロック構造を、例えば、電気製品の包装箱に使用する場合には、広面板２１を保証書等にしてもよい。また、広面板２１に流通管理用のＩＣタグをラミネートしてもよく、シート材２の材料を板紙ではなく、可撓性のプラスチックシートとしてもよい。
【００２５】
また、上記ロック構造は、包装箱の封緘だけでなく、箱同士の連結に使用することもできる。この場合、シート材２の広面板２１を一方の箱に内挿し、その箱に設けた引出スリットから差込片２３及び帯片２２を順次引き出し、他方の箱に設けた差込スリットに差込片２３を差し込んで連結すればよい。
【００２６】
そのほか、上記ロック構造は、トレーへの仕切の固定に使用することもできる。この場合、二重構造とした仕切に広面板２１を内挿し、仕切に設けた引出スリットから差込片２３及び帯片２２を順次引き出し、トレーの側壁に設けた差込スリットに差込片２３を差し込んで固定すればよい。
【図面の簡単な説明】
【００２７】
【図１】この発明に係るロック構造を使用した包装箱のブランクを示す図
【図２】同上の包装箱の開蓋状態を示す斜視図
【図３】同上の包装箱の封緘状態を示す斜視図
【図４】同上のロック部分の拡大斜視図
【図５】同上の開封過程を示す拡大斜視図
【図６】同上の開封状態を示す拡大斜視図
【符号の説明】
【００２８】
１  箱本体
２  シート材
３  底板
４  背板
５  前板
６  側板
７  蓋板
８  折込板
９  額縁板
１０  内立板
１１  底当板
１２  隅片
１３  折曲片
１４  差込片
１５  係合突起
１６  係合穴
１７  引出スリット
１８  差込スリット
２１  広面板
２２  帯片
２３  差込片
２４  引裂帯
【図１】
2006199336.tif 000003
【図２】
2006199336.tif 000004
【図３】
2006199336.tif 000005
【図４】
2006199336.tif 000006
【図５】
2006199336.tif 000007
【図６】
2006199336.tif 000008